(57)【要約】【課題】三角コーナーや排水口からの水切りネットに入った生ゴミの脱水が、なかなか簡単にきれいに確実にできなかった。この生ゴミの脱水を、手をほとんど汚さず簡単に確実にできる生ゴミ水絞り器の提供を目的とする。【解決手段】底面を円柱形側面の一部のような曲面とし、その底面に、中央部分を一番深く各端に行くに従って順次浅くなる凹部を設け、この凹部のある底面全体に、ストレート状の外周の一部が先鋭の突起物を複数本設け、上部面に適当な大きさの持ち片兼押し片を設けて構成する生ゴミ水絞り器。【選択図】　　図１
2004043175.tif 000002
【特許請求の範囲】
【請求項１】
底面を円柱形の側面の一部に近い曲面とし、その底面に、中央部分を一番深く各端に行くに従って順次浅くなる凹部を設け、この凹部のある底面全体に、ストレート状の外周の一部が先鋭の突起物（１）を複数本設け、上部面に適当な大きさの持ち片兼押し片（２）を設けて構成する生ゴミ水絞り器。
【請求項２】
ストレート状の突起物（１）の代わりに、小さな先鋭のスパイク状の突起物を複数個設けた請求項１の生ゴミ水絞り器。
【発明の詳細な説明】
【０００１】
【発明の属する技術分野】
本発明は、流し台に置かれている三角コーナーや排水口からの水切りネットに入った生ゴミの水絞りに関するものである。
【０００２】
【従来の技術】
従来の生ゴミの脱水は、三角コーナーや排水口の中の生ゴミ受け籠に水切りネットを初めからセットして置き、生ゴミに付いた水分で自然落下する水分だけ脱水いわゆる水切りができるだけであった。中には三角コーナーに上部から重い蓋を置いて長時間で押し絞るものがあったが、水絞りに時間がかかるし、重りにも限度があり、広い面積で押すので、水絞りは不完全であったし、排水口からの一番水分の多い生ゴミには適用できなかつた。又、三角コーナーの中に可動する一枚の板を入れ、生ゴミを入れた後、片手の指と指で生ゴミを可動の板ではさみ締めて生ゴミの水分を絞るものがあったが、これなどはとても指の力で絞れるものではなかった。
【０００３】
【発明が解決しようとする課題】
自然落下する水分だけでは、生ゴミと生ゴミの間の水分や生ゴミの中の水分が脱水できなかった。そこで、上記のように重し蓋や、はさみ締め板方式の三角コーナーも市販されているが、長時間かかったり、一度に押す面積が広く、脱水が中途半端であったし、排水口からの生ゴミは、全く脱水できなかった。脱水がよくできてない生ゴミは、燃えるゴミ入れの紙袋を破ったり、運搬途中で水分が漏れ出し、大変不衛生であつたり、焼却燃料を沢山必要とした。
そこで本発明は、この生ゴミの脱水を、手をほとんど汚さず、簡単にかつ完全に近いまでにできる生ゴミ水絞り器を提供しようとするものである。
【０００４】
【課題を解決するための手段】
本発明生ゴミ水絞り器は、図に示す如く生ゴミ水絞り器の底面を円柱形の側面の一部に近い曲面の底面とし、その底面に、中央部が一番深く各端にに行くに従って順次浅くなる凹部を設け、この凹部のある底面全体に、ストレート状の外周の一部が先鋭の突起物１を、大小含めて複数本設け、上部面に適当な大きさの持ち片兼押し片２を複数個設ける手段を講じたものである。
【０００５】
【発明の実施の形態】
本発明は、上記の手段を講じたので、普段は流し台の棚などに置いて置くか、又は、三角コーナーの蓋として三角コーナーの上部に、底面を下にして置いて置く。そしてこれを使用する時は、水切りネットに入った排水口からや三角コーナーからの生ゴミをネットごと取り出し、水切りネットの入り口を折って閉じ、シンク内に置く。その上に、本発明生ゴミ水絞り器を、上部の持ち片兼押し片２を掴み、水切りネットの折り締めた入り口部分に、生ゴミ水絞り器の底面が接触するように置く。後は持ち片兼押し片２を掴み、生ゴミ水絞り器を生ゴミの入ったネット上を押し転がすのである。片手の場合は、中央の持ち片兼押し片を、両手で押し転がす場合は、両サイドの持ち片兼押し片を押す。本発明生ゴミ水絞り器の底面は、円柱形の側面の一部のような曲面になっているので、スムーズにゴミの入ったネット上を転がる。又、底面全体にストレート状の外周の一部が先鋭の突起物１が大小含めて複数本設けられているので、生ゴミの入ったネットとの摩擦も大きく、ゴミの入ったネット上を滑らないで押し転がす事ができるし、かつ、底面は中央部が一番深く、各端にいくに従って順次浅い凹部となっているので、生ゴミ水絞り器を上部の持ち片兼押し片２を掴んで、上から押し込んだ時、生ゴミを中央に包み込む力も加わり滑ることなく、生ゴミの入った水切りネットを包み込みつつ噛むような形でネット上を転がっていく。生ゴミの入った水切りネットの入り口部分から順次連続で生ゴミ水絞り器を２〜３回押し転がすので、水切りネットに入った生ゴミは、入り口の部分から押しつぶされる事になり、生ゴミと生ゴミの間の水分や、生ゴミの中の水分が押し出され、ネットの下方部分へと順次移動し、最後にネットの外に押し出される。本発明生ゴミ水絞り器は、底面が円柱形の側面の一部のような曲面になっているので、この底面で押すと、その時点時点の生ゴミ入り水切りネットを押している面積は小さく、手で押す小さな力でもゴミにかかる圧力は大きく、生ゴミは小さく圧縮され、かつ脱水効果が非常に大きい。
【０００６】
【実施例】
以下図面に示す実施例についてさらに詳細に説明する。
【０００７】
この図に示す実施例の本発明生ゴミ水絞り器は、合成樹脂のような水に強く丈夫な材料で形成してある。生ゴミ水絞り器の底面は、図１、３、４、５に示す如く円柱形の側面の一部のような曲面を形成し、かつストレート状の外周の一部が先鋭の突起物１が大小含めて複数本設けられており、生ゴミを押した時生ゴミの上を滑らないようになっている。そして図１、５に示すように底面の中央部分が一番深い凹部になっており、各端にいくに従って順次浅くなっている。これは生ゴミを包み込みつつ押し込む為である。そして外側にいく程凹部も浅く、突起物１も小さくして平面に近くしてあり、最後に生ゴミの水分を押し出し易くしてある。生ゴミ水絞り器の上部面には、図１、２、３、５に示す如く３個の適当な大きさの持ち片兼押し片２が設けられており、生ゴミが少ないような場合は、中央の持ち片兼押し片２を片手で持ち、生ゴミ上を押し転がすと簡単に水絞りができる。生ゴミの量が多い場合や片手ではきつい場合は、両サイドの持ち片兼押し片２を両手で掴み押すと楽に押し転がす事ができる。この押し転がす事を生ゴミの入った水切りネット上で２〜３回連続で行うと、生ゴミは平たく押しつぶされて圧縮され、生ゴミの中の水分は、両手できつくねじって絞った程押し絞れるのである。又、２〜３回押し転がすとネットに入った生ゴミは平たくなり、二つに折り曲げる事ができ、その上からもう一度本発明生ゴミ水絞り器を置き、押し転がす事を繰り返すと、ほぼ完璧に近い程生ゴミの脱水ができる。
【０００８】
【発明の効果】
本発明は、上記のとおり構成されているので次に記載する効果を奏する。
【０００９】
請求項１の生ゴミ水絞り器は、普段直接使用しない時は、三角コーナーの上に置いて、汚物が見えないようにする蓋の役目をし、直接使用すれば、排水口や三角コーナーからの水切りネットに入った生ゴミの圧縮と脱水が、手をほとんど汚さず簡単に、両手できつくねじり絞った程にでき、生ゴミの全体の重さを２０％以上軽くし、全体の体積も７０％以上小さくする事ができる。よって運搬も簡単になり、途中で汚水が漏れ出したりせず衛生的であるし、焼却燃料も節約できる。
【００１０】
請求項２の生ゴミ水絞り器は、請求項１の生ゴミ水絞り器の底面のストレート状の突起物１の代わりに小さなスパイク状の先鋭の突起物を複数個設けたものであるが、靴のスパイクのような働きをして生ゴミにささり、生ゴミ上を絞り器が滑らないで押し転がり、請求項１の生ゴミ水絞り器と同じ効果を奏する。
【００１１】
【図面の簡単な説明】
【図１】本発明生ゴミ水絞り器の正面図であり背面図も同じに表せる。
【図２】本発明生ゴミ水絞り器の平面図である。
【図３】本発明生ゴミ水絞り器の底面図である。
【図４】本発明生ゴミ水紋り器の右側面図であり左側面図も同じに表される。
【図５】本発明生ゴミ水絞り器のＡ−Ａ断面図である。
【符号の説明】
１　ストレート状の外周の一部が先鋭の突起物
２　持ち片兼押し片
【図１】
2004043175.tif 000003
【図２】
2004043175.tif 000004
【図３】
2004043175.tif 000005
【図４】
2004043175.tif 000006
【図５】
2004043175.tif 000007